(57)【要約】【課題】乗客の寄りかかりや衝突が生じた場合に、破損しにくい乗客コンベアの安全設備を提供する。【解決手段】乗客コンベアと構造体１２との交差部または乗客コンベア同士の交差部に設置される安全設備１３において、安全設備１３の主板体１３Ａの前縁に円筒状の前縁体１３Ｂを接合部１３Ｄで接合した構成とし、接合部１３Ｄの上端が前縁体１３Ｂの上端よりも下方に位置するように非接合部１３Ｅを設けることで、構造体１２への安全設備１３の取付部の孔１３Ｃと接合部１３Ｄの上端にある剛性急変部１３Ｆとの距離Ｌを長くし、剛性急変部１３Ｆにおける反力Ｒを小さくして、破損しにくい安全設備１３とした。【選択図】  図３
2013203505.tif 000002
【特許請求の範囲】
【請求項１】
建築構造物に設置された乗客コンベア本体と、前記乗客コンベア本体と前記建築構造物の構造体との交差部または前記乗客コンベア本体と他の乗客コンベア本体との交差部に設置された安全設備とを有する乗客コンベアにおいて、
前記安全設備は、主板体と、前記主板体の前縁に接合部で接合された円筒状の前縁体とを有し、前記接合部の上端が前記前縁体の上端よりも下方に位置することを特徴とする乗客コンベア。
【請求項２】
請求項１において、前記接合部の上端から前記前縁体の上端までの間の前記主板体と前記前縁体との対向部に空隙が設けられた非接合部を有することを特徴とする乗客コンベア。
【請求項３】
建築構造物に設置された乗客コンベア本体と前記建築構造物の構造体との交差部または前記乗客コンベア本体と他の乗客コンベア本体との交差部に設置された乗客コンベアの安全設備において、
主板体と、前記主板体の前縁に接合部で接合された円筒状の前縁体とを有し、前記接合部の上端が前記前縁体の上端よりも下方に位置することを特徴とする乗客コンベアの安全設備。
【請求項４】
請求項３において、前記接合部の上端から前記前縁体の上端までの間の前記主板体と前記前縁体との対向部に空隙が設けられた非接合部を有することを特徴とする乗客コンベアの安全設備。
【発明の詳細な説明】
【技術分野】
【０００１】
本発明は、エスカレータや動く歩道等の乗客コンベアおよびそれに備えられる安全設備に係り、特に、エスカレータ同士の交差部やエスカレータと建物の交差部へ乗客が挟まれることを防止する安全設備の構成に関するものである。
【背景技術】
【０００２】
乗客コンベアには、乗客コンベア同士の交差部や乗客コンベアと建物の交差部へ乗客が挟まれることを防止する安全設備として、可動警告板および固定保護板が備えられている（ＪＥＡＳ−Ａ４０６参照）。
【０００３】
前述の安全設備の構成として、特許文献１には、交差部の楔状空間を塞ぐ三角状の主板体と、主板体の前縁に接合された筒状の前縁体とで構成されたものが記載されている。
【先行技術文献】
【特許文献】
【０００４】
【特許文献１】特開２０００−３２７２５２号公報
【発明の概要】
【発明が解決しようとする課題】
【０００５】
しかしながら、前述の特許文献１の安全設備では、主板体と前縁体との剛性が異なるため、荷重を受けたときに、主板体と前縁体との接合部上端に存在する剛性急変部において最も破損しやすく、構造体への取付部に最も近い接合部端部を破損の起点として、主板体全体が破損するという問題がある。すなわち、安全設備に乗客の寄りかかりや衝撃による荷重が加わった場合、安全設備における構造体への取付部と破損の起点となる剛性急変部間の距離が短いため、剛性急変部に発生する荷重が大きく安全設備が破損しやすい構造であった。
【０００６】
本発明は、このような従来技術の実情に鑑みてなされたもので、その目的は、安全設備に加わる荷重に対して破損しにくい安全設備を提供することにある。
【課題を解決するための手段】
【０００７】
本発明は、このような課題を解決するため、建築構造物に設置された乗客コンベア本体と、前記乗客コンベア本体と前記建築構造物の構造体との交差部または前記乗客コンベア本体と他の乗客コンベア本体との交差部に設置された安全設備とを有する乗客コンベアにおいて、前記安全設備は、主板体と、前記主板体の前縁に接合部で接合された円筒状の前縁体とを有し、前記接合部の上端が前記前縁体の上端よりも下方に位置することを特徴とする。
【発明の効果】
【０００８】
このように、接合部の上端が前縁体の上端よりも下方に位置するようにすることで、前縁体の上部を非接合部とすることができ、安全設備における構造体への取付部の孔と、主板体と前縁体との接合部の上端に存在する剛性急変部との間の距離を長くすることができ、剛性急変部における反力を小さくすることができる。そして、剛性急変部における反力が小さくできることから、乗客の寄りかかりや衝突による荷重に対して破損しにくい構造とすることができる。
【図面の簡単な説明】
【０００９】
【図１】エスカレータの全体構成図である。
【図２】エスカレータ、構造体、および安全設備の位置関係の説明図である。
【図３】安全設備の構造図である。
【図４】安全設備のＡ−Ａ線に沿う断面図である。
【図５】図４における従来構造を示した図である。
【発明を実施するための形態】
【００１０】
本発明の実施例を、図面を参照しながら説明する。尚、各図において、同一又は類似の構成要素には同じ符号を付し、説明を省略する。
【００１１】
本実施例では、乗客コンベア本体の一例としてエスカレータを用い、建築構造物（建物）の構造体と乗客コンベア本体とが交差する交差部に安全装置を設置した例を説明する。
【００１２】
図１は、エスカレータの全体構成図である。エスカレータ１は、図１に示すように、上部水平枠２ａと、下部水平枠２ｃと、これらの各枠をつなぐ傾斜した中間枠２ｂとで構成された枠体２を有している。枠体２は、建築構造物の上下の各階床に跨って設置されている。また、エスカレータ１は、枠体２の他に、上部水平枠２ａ内に設置された駆動スプロケット３と、下部水平枠２ｃ内に設置された従動スプロケット４と、これらの各スプロケット３、４に無端状に巻き掛けられた踏段チェーン５と、この踏段チェーン５に連結され、往路側では常に水平に保持される踏板を有する踏段６と、踏段６の幅方向の両側に立設された欄干パネル７と、この欄干パネル７の周縁に案内されて移動する移動手摺８と、踏段チェーン５及び移動手摺８を駆動する駆動装置９とを備えている。駆動装置９は、モータ９Ａ、ブレーキ９Ｂ及びこれら各部の駆動を制御する運転制御部９Ｃをもって構成されており、商用電源１１からの電力の供給を受けて駆動される。モータ９Ａの回転力は、動力伝達チェーン１０を介して踏段チェーン５及び移動手摺８に伝達される。
【００１３】
図２は、エスカレータ、構造体、および安全設備の位置関係の説明図である。図２に示すように、エスカレータ１と建築構造物の構造体１２との交差部には、安全設備１３および安全設備１４が構造体１２に取付部で取付けられている。
【００１４】
図３は、安全設備の構造図である。図４は、安全設備のＡ−Ａ線に沿う断面図である。安全設備１３は、図３、図４に示すように、主板体１３Ａと、主板体１３Ａの前縁に一定範囲の接合部１３Ｄによって接合された円筒状の前縁体１３Ｂから構成されている。また、安全設備１３には、構造体１２に取付けるための孔１３Ｃが設けられている。
【００１５】
なお接合部１３Ｄの上方には非接合部１３Ｅが設けられ、非接合部１３Ｅでは、主板体１３Ａと前縁体１３Ｂとが接触しない構造となっている。具体的には、接合部１３Ｄの上端が前縁体１３Ｂの上端よりも下方に位置する構造となっており、これによって、接合部１３Ｄの上方には非接合部１３Ｅが設けられている。さらに、非接合部１３Ｅは、接合部１３Ｄの上端から前縁体１３Ｂの上端までの間の主板体１３Ａと前縁体１３Ｂとの対向部に空隙が設けられた構造となっている。
【００１６】
ここで乗客の寄りかかりや衝突によって、安全設備１３に荷重が加わった場合、側面方向の荷重Ｗが発生する。そして、荷重Ｗが安全設備１３の強度を超えたとき、主板体１３Ａと前縁体１３Ｂとの接合部１３Ｄの上端に存在する剛性急変部１３Ｆを起点に、破損線Ｘに示すような形状で安全設備１３の破損が生じる。
【００１７】
この剛性急変部１３Ｆの反力Ｒは、荷重Ｗによる孔１３Ｃまわりのモーメントを支えており、反力Ｒは剛性急変部１３Ｆと孔１３Ｃとの距離Ｌの大きさによって変化する。
【００１８】
図５は、図４における従来構造を示した図である。従来の構造では、図５に示すように主板体１３Ａと前縁体１３Ｂにおいて、前縁体１３Ｂの全域で接合部１３Ｄ′により接合されており、剛性急変部１３Ｆ′と孔１３Ｃとの距離は比較的短い距離Ｌ′であり、剛性急変部１３Ｆ′には大きな反力Ｒ′が発生していた。
【００１９】
これに対して、図３、図４に示した本実施例の構造と図５に示した従来の構造とを比較した場合、剛性急変部１３Ｆ、１３Ｆ′と、孔１３Ｃとの距離は、Ｌ＞Ｌ′となるため、剛性急変部１３Ｆ、１３Ｆ′における反力は、Ｒ＜Ｒ′となる。
【００２０】
よって、本実施例の構造では、剛性急変部１３Ｆの反力Ｒを従来より小さくすることができ、安全設備１３が破損しにくい構造とすることができる。
【００２１】
なお、上記構造は安全設備１４に適用することで、安全設備１３と同様に破損しにくい構造とすることができる。
【００２２】
また、上記構造はエスカレータ１と構造体１２との交差部だけでなく、乗客コンベア本体と他の乗客コンベア本体との交差部に適用することもできる。
【００２３】
また、乗客コンベア本体の一例としてエスカレータを用いた例を示したが、乗客コンベア本体として傾斜型の移動歩道を用いてもよい。
【００２４】
以上、本発明を実施例を用いて説明してきたが、これまでの実施例で説明した構成はあくまで一例であり、本発明は、技術思想を逸脱しない範囲内で適宜変更が可能である。
【符号の説明】
【００２５】
１  エスカレータ
２  枠体
２ａ  上部水平枠
２ｂ  中間枠
２ｃ  下部水平枠
３  駆動スプロケット
４  従動スプロケット
５  踏段チェーン
６  踏段
７  欄干パネル
８  移動手摺
９  駆動装置
９Ａ  モータ
９Ｂ  ブレーキ
９Ｃ  運転制御部
１０  動力伝達チェーン
１１  商用電源
１２  構造体
１３、１４  安全設備
１３Ａ  主板体
１３Ｂ  前縁体
１３Ｃ  孔
１３Ｄ  接合部
１３Ｅ  非接合部
１３Ｆ  剛性急変部
Ｌ  剛性急変部と孔との距離
Ｒ  反力
Ｗ  荷重
Ｘ  破損線
【図１】
2013203505.tif 000003
【図２】
2013203505.tif 000004
【図３】
2013203505.tif 000005
【図４】
2013203505.tif 000006
【図５】
2013203505.tif 000007